(57)【要約】【課題】照明器具のコンパクト化を図るとともに、部品点数の削減を図ることができる照明器具を提供する。【解決手段】光源を収容する器具本体２０の開口２１にフィルタ３０を取り付けるために、フィルタ３０を交換可能に直接装着する貼着手段３１を開口２１に設けた。このため、従来のようなフィルタホルダを用いる必要がなくなり、部品点数を減少させるとともに、取り付けスペースが小さくなるので、コンパクト化を図ることができる。【選択図】図１
2013026136.tif 000002
【特許請求の範囲】
【請求項１】
光源を内部に収容して前方の開口から光を照射する器具本体と、
前記器具本体の開口に取り付けられ前記光源からの照射光を透過させるフィルタと、を有し、
前記開口に、前記フィルタを交換可能に装着する貼着手段を設けた照明器具。
【請求項２】
請求項１に記載の照明器具において、
前記貼着手段が、コルクボードである照明器具。
【請求項３】
請求項１に記載の照明器具において、
前記貼着手段が、磁石体である照明器具。
【請求項４】
請求項１に記載の照明器具において、
前記貼着手段が、押し込み式である照明器具。
【請求項５】
請求項１に記載の照明器具において、
前記貼着手段が、粘着剤である照明器具。
【発明の詳細な説明】
【技術分野】
【０００１】
本発明は、光源を内部に収容して光を照射する器具本体の開口に、フィルタを交換可能に装着する照明器具に関するものである。
【背景技術】
【０００２】
図６に示すように、特許文献１に記載の照明器具１００においては、光源１０１を収容する器具本体１０２の前方の開口１０３に、フィルタ１０４を交換可能に装着する。フィルタ１０４は、額縁状のフィルタホルダ１０５により挟持されている。
器具本体１０２の開口１０３には、フィルタホルダ１０５を保持するために、係止部１０６および案内部１０７が設けられている。
従って、器具本体１０２にフィルタホルダ１０５を取り付ける際には、器具本体１０２の係止部１０６と案内部１０７との間にフィルタホルダ１０５を挿入する。
【先行技術文献】
【特許文献】
【０００３】
【特許文献１】特開２０００−１９５３１４号公報（第１図）
【発明の概要】
【発明が解決しようとする課題】
【０００４】
しかしながら、前述したような従来の照明器具においては、薄く柔軟なフィルタを装着するためにフィルタホルダが必要であり部品点数を増加させる。
また、フィルタホルダは、フィルタを表裏から挟む構造となっているため厚く形成されており、フィルタホルダを保持するために器具本体の開口に設けられている保持手段が厚くなるため、照明器具の大型化を招くという問題があった。
【０００５】
本発明は、従来の問題を解決するためになされたもので、照明器具のコンパクト化を図るとともに、部品点数の削減を図ることができる照明器具を提供することを目的とする。
【課題を解決するための手段】
【０００６】
本発明の照明器具は、光源を内部に収容して前方の開口から光を照射する器具本体と、  前記器具本体の開口に取り付けられ前記光源からの照射光を透過させるフィルタと、を有し、前記開口に、前記フィルタを交換可能に装着する貼着手段を設けたものである。
【０００７】
また、本発明の照明器具は、前記貼着手段が、コルクボードであるものである。
【０００８】
また、本発明の照明器具は、前記貼着手段が、磁石体であるものである。
【０００９】
また、本発明の照明器具は、前記貼着手段が、押し込み式であるものである。
【００１０】
さらに、本発明の照明器具は、前記貼着手段が、粘着剤であるものである。
【発明の効果】
【００１１】
本発明は、光源を収容する器具本体の開口にフィルタを取り付けるために、フィルタを交換可能に直接装着する貼着手段を開口に設けた。このため、フィルタホルダを用いる必要がなくなり、部品点数を減少させるとともに、取り付けスペースが小さくなるので、コンパクト化を図ることができるという効果を有する照明器具を提供できる。
【図面の簡単な説明】
【００１２】
【図１】（Ａ）は本発明に係る第１実施形態の照明器具のフィルタを外した状態の斜視図であり、（Ｂ）は（Ａ）中Ｂ−Ｂ位置の断面図
【図２】（Ａ）は本発明に係る第２実施形態の照明器具のフィルタを外した状態の斜視図であり、（Ｂ）は（Ａ）中Ｂ−Ｂ位置の断面図
【図３】本発明に係る第３実施形態の照明器具の斜視図
【図４】（Ａ）はフィルタを装着する前の粘着手段を示す断面図であり、（Ｂ）はフィルタを装着するときの粘着手段を示す断面図
【図５】本発明に係る第４実施形態の照明器具の斜視図
【図６】従来の照明器具の斜視図
【発明を実施するための形態】
【００１３】
（第１実施形態）
以下、本発明に係る第１実施形態の照明器具について、図面を用いて説明する。
図１に示すように、本発明に係る第１実施形態の照明器具１０は、内部に光源（図示省略）を収容する前方が開口（開口２１）した矩形箱状の器具本体２０と、この器具本体２０を支持するアーム４０を有する。
【００１４】
アーム４０は、全体コ字形状をしており、両端に設けられている回動軸４１によって器具本体２０を上下方向（図１中矢印Ａ１方向）に回動可能に支持する。また、アーム４０の中央には、上方に突出する旋回軸４２が設けられている。旋回軸４２は、支持装置（図示省略）によって旋回（図１中矢印Ａ２方向）可能に支持される。
従って、器具本体２０は、旋回軸４２を中心としてアーム４０が水平方向へ回転可能であり、かつ、回動軸４１を中心として上下方向へ回動可能に支持されているので、任意の方向へ光を照射することができる。
【００１５】
図１（Ｂ）に示すように、器具本体２０の先端は内側に折り返されており、開口２１の周囲には折返部２２が設けられている。折返部２２の前面には、フィルタ３０を取り付けるための貼着手段３１が設けられている。
ここでは、貼着手段３１として、額縁状のコルクボード３２が折返部２２の前面に貼り付けられている。フィルタ３０は、例えば、複数個の押しピン３３を用いて、コルクボード３２に貼り付ける。
【００１６】
以上、説明した本発明に係る第１実施形態の照明器具１０によれば、光源を収容する器具本体２０の開口２１にフィルタ３０を取り付けるために、フィルタ３０を交換可能に直接装着する貼着手段３１を開口２１に設けた。
このため、従来のようなフィルタホルダを用いる必要がなくなり、部品点数を減少させるとともに、フィルタ３０を直接貼り付けるので、取り付けスペースが小さくなり、コンパクト化を図ることができる。
【００１７】
また、フィルタ３０を器具本体２０の開口２１に交換可能に装着する貼着手段３１として、コルクボード３２を用いたので、押しピン３３等により、フィルタ３０を開口２１に容易に取り付けることができる。また、フィルタ３０を容易に取り外して、交換することができる。
また、コルクボード３２の厚みが小さいので、省スペースを図ることができる。
【００１８】
（第２実施形態）
次に、本発明に係る第２実施形態の照明器具について説明する。
なお、前述した第１実施形態に係る照明器具１０と共通する部位には同じ符号を付して、重複する説明を省略することとする。
【００１９】
図２に示すように、第２実施形態に係る照明器具１０Ｂでは、貼着手段３１Ｂとして、磁石体３４を用いた。
すなわち、図２（Ｂ）に示すように、器具本体２０の折返部２２にフィルタ３０を重ね、フィルタ３０の上から磁石体３４を折返部２２に吸着させることにより、フィルタ３０を固定する。
器具本体２０の折返部２２は、磁石がくっつく鉄板等で形成されるのが一般的であるが、磁石がくっつかない材質で形成されている場合には、折返部２２の前面に鉄板を取り付けるようにする。
【００２０】
なお、図２においては、棒状の磁石体３４により、フィルタ３０の上縁端および下縁端を固定したが、左右の縁端を磁石体３４で固定することもできる。あるいは、上下両縁端および左右両縁端の四辺を、磁石体３４で固定することもできる。
また、図２においては、細長い棒状の磁石体３４を用いたが、形状はこれに限らず、丸や四角の磁石体を複数個用いることも可能である。
あるいは、器具本体２０の折返部２２を磁石で構成して、鉄板等の金属を吸着することにより、フィルタ３０を固定することも可能である。
【００２１】
以上、説明した本発明に係る第２実施形態の照明器具１０Ｂによれば、フィルタ３０を器具本体２０の開口２１に交換可能に装着する貼着手段３１Ｂとして、磁石体３４を用いた。このため、器具本体２０と磁石体３４との間にフィルタ３０を容易に取り付けることができる。また、フィルタ３０を容易に取り外して、交換することができる。
また、磁石体３４が薄いので、省スペースを図ることができる。
【００２２】
（第３実施形態）
次に、本発明に係る第３実施形態の照明器具について説明する。
なお、前述した第１実施形態に係る照明器具１０および第２実施形態に係る照明器具１０Ｂと共通する部位には同じ符号を付して、重複する説明を省略することとする。
【００２３】
図３に示すように、第３実施形態に係る照明器具１０Ｃでは、貼着手段３１Ｃとして、押し込み式固定手段３５を用いた。
すなわち、図４に示すように、押し込み式固定手段３５では、器具本体２０の内面にバネ３５１を取り付け、バネ３５１によって透明パネル３５２を器具本体２０の折返部２２に押し付ける（図４（Ａ）参照）。
フィルタ３０を装着する際には、バネ３５１の付勢力に抗して、フィルタ３０で透明パネル３５２を器具本体２０内部に押し込む（図４（Ｂ）中矢印Ｂ参照）。そして、バネ３５１の復帰力により、フィルタ３０を透明パネル３５２と折返部２２との間で挟持する。
【００２４】
以上、説明した本発明に係る第３実施形態の照明器具１０Ｃによれば、フィルタ３０を器具本体２０の開口２１に交換可能に装着する貼着手段３１Ｃとして、押し込み式固定手段３５を用いたので、フィルタ３０を開口２１に容易に取り付けることができる。
また、省スペースを図ることができる。
【００２５】
（第４実施形態）
次に、本発明に係る第４実施形態の照明器具について説明する。
なお、前述した第１実施形態に係る照明器具１０ないし第３実施形態に係る照明器具１０Ｃと共通する部位には同じ符号を付して、重複する説明を省略することとする。
【００２６】
図５に示すように、第４実施形態に係る照明器具１０Ｄでは、貼着手段３１Ｄとして、粘着剤３６を用いた。
すなわち、器具本体２０の折返部２２前面に粘着剤３６を塗布し、粘着剤３６にフィルタ３０を貼り付ける。
なお、粘着剤３６は繰り返し粘着できるものを用いることができるが、粘着しなくなったら、塗り替えて、繰り返し使用することができる。
【００２７】
以上、説明した本発明に係る第４実施形態の照明器具１０Ｄによれば、フィルタ３０を器具本体２０の開口２１に交換可能に装着する貼着手段３１Ｄとして、粘着剤３６を用いた。
このため、フィルタ３０を器具本体２０の開口２１に容易に取り付けることができる。
また、省スペースを図ることができる。
【００２８】
なお、本発明の照明器具は、前述した各実施形態に限定されるものでなく、適宜な変形，改良等が可能である。
【符号の説明】
【００２９】
１０、１０Ｂ、１０Ｃ、１０Ｄ  照明器具
２０  器具本体
２１  開口
３０  フィルタ
３１、３１Ｂ、３１Ｃ、３１Ｄ  貼着手段
３２  コルクボード
３４  磁石体
３５  押し込み式固定手段（押し込み式）
３６  粘着剤
【図１】
2013026136.tif 000003
【図２】
2013026136.tif 000004
【図３】
2013026136.tif 000005
【図４】
2013026136.tif 000006
【図５】
2013026136.tif 000007
【図６】
2013026136.tif 000008